(57)【要約】【課題】送風機構を脱着する際の交換スペースを空気調和機内に余分に確保することなく、ファンやモータの取り出し、交換作業を容易にする。【解決手段】空気調和機は、ファン４、このファンを駆動するためのモータ６、及び前記モータの回転を前記ファンに伝達するシャフト２１を有する送風機構と、この送風機構のファン周囲に設けられたファンケーシング５とを備える。前記ファンケーシングには、空気調和機のサービススペース側に前記ファンを出し入れするためのファン出し入れ用開口部１８と、前記シャフトを前記サービススペース側に出し入れするためのシャフト出し入れ用開口部１１とを形成し、前記ファン出し入れ用開口部を塞ぐための脱着可能な塞ぎ板１９と、前記シャフト出し入れ用開口部を塞ぐための脱着可能な塞ぎ板１２とを備える。【選択図】図７
2013096617.tif 000002
【特許請求の範囲】
【請求項１】
ファン、このファンを駆動するためのモータ、及び前記モータの回転を前記ファンに伝達するシャフトを有する送風機構と、この送風機構のファン周囲に設けられたファンケーシングとを備える空気調和機において、
前記ファンケーシングには、空気調和機のサービススペース側に前記ファンを出し入れするためのファン出し入れ用開口部と、前記シャフトを前記サービススペース側に出し入れするためのシャフト出し入れ用開口部とを形成し、
前記ファン出し入れ用開口部を塞ぐための脱着可能な塞ぎ板と、
前記シャフト出し入れ用開口部を塞ぐための脱着可能な塞ぎ板と
を備えることを特徴とする空気調和機。
【請求項２】
請求項１に記載の空気調和機おいて、前記空気調和機は、サーバーが設置されているコンピュータ室に設置される情報通信機器向け用のものであることを特徴とする空気調和機。
【請求項３】
請求項１または２に記載の空気調和機において、前記送風機構及び前記ファンケーシングは筐体内に設けられ、更に前記筐体内には熱交換器を備えており、前記前記送風機構及び前記ファンケーシングは前記熱交換器よりも下部に設置され、且つ前記筐体の上部に吸込口が、前記筐体の下部には吹出口が設けられていることを特徴とする空気調和機。
【請求項４】
請求項１または２に記載の空気調和機において、前記送風機構及び前記ファンケーシングは筐体内に設けられ、更に前記筐体内には熱交換器を備えており、前記前記送風機構及び前記ファンケーシングは前記熱交換器よりも上部に設置され、且つ前記筐体の下部に吸込口が、前記筐体の上部には吹出口が設けられていることを特徴とする空気調和機。
【請求項５】
請求項１〜４の何れかに記載の空気調和機おいて、前記ファンは両吸込型に構成され、前記ファンケーシングの両側にそれぞれ吸込口が形成され、それぞれの吸込口にはインレットリングが脱着自在に取り付けられていることを特徴とする空気調和機。
【請求項６】
請求項１〜５の何れかに記載の空気調和機おいて、一つの筐体内に、複数の前記送風機構と、複数の前記ファンケーシングを備えることを特徴とする空気調和機。
【請求項７】
請求項１〜５の何れかに記載の空気調和機おいて、前記送風機構は、モータの両側にシャフトを有する両軸モータと、この両軸モータの両側のシャフトにそれぞれ接続された複数のファンで構成され、それぞれのファン周囲にはファンケーシングがそれぞれ設けられていることを特徴とする空気調和機。
【請求項８】
請求項１〜７の何れかに記載の空気調和機において、前記モータと前記ファンとはシャフトにより直結されていることを特徴とする空気調和機。
【請求項９】
請求項１〜８の何れかに記載の空気調和機において、前記サービススペースは空気調和機の正面側に設けられ、前記ファン出し入れ用開口部は前記ファンケーシングの正面側に、前記シャフト出し入れ用開口部は前記ファンケーシング側面の正面側にそれぞれ形成されていることを特徴とする空気調和機。
【請求項１０】
ファン、このファンを駆動するためのモータ、及び前記モータの回転を前記ファンに伝達するシャフトを有する送風機構と、この送風機構のファン周囲に設けられたファンケーシングとを備える空気調和機における送風機構の取り外し方法において、
前記ファンケーシングには、空気調和機のサービススペース側に前記ファンを出し入れするためのファン出し入れ用開口部と、前記シャフトを前記サービススペース側に出し入れするためのシャフト出し入れ用開口部とを予め形成しておくと共に、前記ファン出し入れ用開口部と前記シャフト出し入れ用開口部をそれぞれ脱着可能な塞ぎ板で塞いでおき、
前記送風機構を前記サービススペース側に取り出す際には、前記それぞれの開口部を塞いでいる前記塞ぎ板を取り外した後、
前記送風機構を構成する前記ファンを前記シャフト出し入れ用開口部から、前記シャフトを前記シャフト出し入れ用開口部から、前記ファンとシャフトが結合された状態で、前記サービススペース側に取り出す
ことを特徴とする空気調和機における送風機構の取り外し方法。
【発明の詳細な説明】
【技術分野】
【０００１】
本発明は、送風機構とそのファンの周囲に設けられたファンケーシングを備える空気調和機及び空気調和機における送風機構の取り外し方法に関し、特に情報通信機器用のサーバーが連続設置されているようなコンピュータ室の空調用として適切なものである。
【背景技術】
【０００２】
コンピュータネットワークを構築するには、コミュニケーション用、データベース用、ファイル管理用などのサーバーを必要とする。サーバーはセキュリティや運用管理の面からサーバー機械室に設置されていて、複数台ごとにサーバーラックに格納し、そのサーバーラックを連続設置し運用されている。このサーバーは動作時の発熱が大きく、安定動作をさせるため、空気調和機を設置し運用を行っている。
【０００３】
近年、処理データの増加などにより、サーバーの高密度化、高効率化が求められ、これに伴い空気調和機も小型化、高密集設置、モータや送風機の大容量化（大型化）による送風能力の向上などが求められている。
【０００４】
例えば、特許文献１（特開２００５−１７２３０９号公報）には、サーバーを連続設置し、サーバーの間にファンタワーを設置している。このファンタワーは、室内の下部空間から吸込んだ空気を上部空間に吹出すことでサーバーの上部にも冷却用空気が吸込まれるようにしている。これにより、サーバーの高さ方向における温度勾配を少なくすることが開示されている。
【先行技術文献】
【特許文献】
【０００５】
【特許文献１】特開２００５−１７２３０９号公報
【発明の概要】
【発明が解決しようとする課題】
【０００６】
空気調和機は、保守点検などのため、送風機構を構成するファンやモータの交換作業が必要である。空気調和機の両隣りにも筐体を設置する場合は、空気調和機の前面又は背面から交換することになるが、送風機構を脱着する際の交換スペースを空気調和機内に余分に確保する必要がある。或いは、空気調和機内に前記交換スペースを設けずに空気調和機自体を小型化した場合、前記送風機構を出し入れするための交換スペースを空気調和機の周囲に確保することが必要となる。
【０００７】
上記特許文献１のものでは、ファンタワーがサーバーに挟まれて配置されているにも関わらず、装置周囲及び装置内にファン等を交換するスペースがなく、ファン等の交換ができないおそれがある。
【０００８】
上述したように、送風機構を脱着する際の交換スペースを空気調和機内に余分に確保すると空気調和機のサイズを大型化する必要がある。また、空気調和機自体を小型化すればその設置面積を小さくできるが、空気調和機の周囲にファン等を交換するスペースを確保する必要があった。
【０００９】
更に、送風能力向上のために、モータと送風機は大型化される傾向にあるが、これらの重量が大きくなると取り回しが悪くなり、交換作業に時間を要するなどの課題があった。
【００１０】
本発明の目的は、送風機構を脱着する際の交換スペースを空気調和機内に余分に確保することなく、ファンやモータの取り出し、交換作業を容易にすることのできる空気調和機及び空気調和機における送風機構の取り外し方法を得ることにある。
【課題を解決するための手段】
【００１１】
上記課題を解決するため、本発明は、ファン、このファンを駆動するためのモータ、及び前記モータの回転を前記ファンに伝達するシャフトを有する送風機構と、この送風機構のファン周囲に設けられたファンケーシングとを備える空気調和機において、前記ファンケーシングには、空気調和機のサービススペース側に前記ファンを出し入れするためのファン出し入れ用開口部と、前記シャフトを前記サービススペース側に出し入れするためのシャフト出し入れ用開口部とを形成し、前記ファン出し入れ用開口部を塞ぐための脱着可能な塞ぎ板と、前記シャフト出し入れ用開口部を塞ぐための脱着可能な塞ぎ板とを備えることを特徴とする。
【００１２】
本発明の他の特徴は、ファン、このファンを駆動するためのモータ、及び前記モータの回転を前記ファンに伝達するシャフトを有する送風機構と、この送風機構のファン周囲に設けられたファンケーシングとを備える空気調和機における送風機構の取り外し方法において、前記ファンケーシングには、空気調和機のサービススペース側に前記ファンを出し入れするためのファン出し入れ用開口部と、前記シャフトを前記サービススペース側に出し入れするためのシャフト出し入れ用開口部とを予め形成しておくと共に、前記ファン出し入れ用開口部と前記シャフト出し入れ用開口部をそれぞれ脱着可能な塞ぎ板で塞いでおき、前記送風機構を前記サービススペース側に取り出す際には、前記それぞれの開口部を塞いでいる前記塞ぎ板を取り外した後、前記送風機構を構成する前記ファンを前記シャフト出し入れ用開口部から、前記シャフトを前記シャフト出し入れ用開口部から、前記ファンとシャフトが結合された状態で、前記サービススペース側に取り出すことを特徴とする空気調和機における送風機構の取り外し方法にある。
【発明の効果】
【００１３】
本発明によれば、送風機構を脱着する際の交換スペースを空気調和機内に余分に確保することなく、ファンやモータの取り出し、交換作業を容易にすることができる空気調和機及び空気調和機における送風機構の取り外し方法を得ることができる。
【図面の簡単な説明】
【００１４】
【図１】情報通信機器用のサーバーが連続設置されているコンピュータ室における空調システムの全体構成を説明する図。
【図２】本発明の空気調和機の実施例１を示す正面図で、正面の扉を取って内部の構造を示した図。
【図３】図２のＡ−Ａ線矢視断面図。
【図４】図２の状態から正面の塞ぎ板と左右のインレットリングを取り外した状態のファンケーシング周辺の正面図。
【図５】図４の右側面図。
【図６】図４の左側面図で、正面側の半分だけ示し、背面側の半分は省略した図。
【図７】図２のファン周りの正面図で、正面と側面の塞ぎ板、モータ側のインレットリング、モータベースの固定ボルトなどを取り外した状態を示す図。
【図８】図７の左側面図で、正面側の半分だけ示し、背面側の半分は省略し、更に側面塞ぎ板を取り外した状態を示す図。
【図９】図７の平面図で、ファンの取り出し方向を説明する図。
【図１０】本発明の空気調和機の実施例２を示す正面図で、正面の扉を取って内部の構造を示した図。
【図１１】図１０のＢ−Ｂ線矢視断面図。
【図１２】図１０に示すファン周りの平面図で、ファンの取出し方向を説明する図。
【図１３】従来の空気調和機を示す正面図で、正面の扉を取って内部の構造を示した図。
【図１４】図１３のＣ−Ｃ線矢視断面図。
【発明を実施するための形態】
【００１５】
以下、本発明の空気調和機の具体的実施例を図面に基づいて説明する。なお、各図において同一符号を付した部分は同一或いは相当する部分を示している。
【実施例１】
【００１６】
図１は情報通信機器用のサーバーが連続設置されているコンピュータ室における空調システムの全体構成を説明する図で、図において、３０はコンピュータ室で、このコンピュータ室３０には、情報通信機器用のサーバーなどのコンピュータ３１が連続設置されている。３２は前記コンピュータ室３０内に設置された空調システムの室内ユニット、３３は前記空調システムの室外ユニットである。
【００１７】
前記室内ユニット３２と前記室外ユニット３３とは冷媒配管３４で接続されており、前記室外ユニット３３には凝縮器となる室外熱交換器やこの室外熱交換器に室外空気を供給するためのファンなどが設けられている。また、前記室内ユニット３２には、図２や図３などに示すように、蒸発器となる室内熱交換器、この室内熱交換器に室内空気を供給して室内空気を冷却するためのファン、冷媒を圧縮するための圧縮機及び膨張弁などが設けられている。前記圧縮機、室外熱交換器、膨張弁、室内熱交換器などを前記冷媒配管で順次接続することにより冷凍サイクルが構成されている。
【００１８】
前記コンピュータ室３０はフリーアクセスフロア３５となっており、前記室内ユニットからの冷風は前記フリーアクセスフロア３５の通路に吹き出され、ここからコンピュータ室３０内全体に供給されて、コンピュータ３１などを冷却する。コンピュータ３１などを冷却して温度が上昇した空気はコンピュータ室３０の上部に流れ、前記室内ユニット３２の上部から該室内ユニット３２内に吸い込まれ、室内熱交換器で再び冷却されて前記フリーアクセスフロア３５の通路に吹き出されるというサイクルを繰り返す。
【００１９】
図１に示す例では室外ユニット３３は２台、室内ユニット３２も２台の例を示しているが、コンピュータ室３０の広さやコンピュータ３１の設置台数などによる負荷の大きさに応じて室外ユニット３３や室内ユニット３２の台数は増加される。
【００２０】
前記コンピュータ室３０には通常多数のコンピュータ３１が設置され、それに応じてコンピュータ室３０には前記室内ユニット３２の設置台数を増加させたり、より大容量の室内ユニット３２を設置する必要がある。しかし、室内ユニット３２がコンピュータ室３０内に密集して配置されたり、コンピュータ３１に近接して設置されると、室内ユニットの保守点検のために、ファンやモータの交換作業をする際、それらを出し入れするための交換スペースを室内ユニット（空気調和機）の周囲に十分に確保することは困難になる。
【００２１】
例えば、前記室内ユニット３２がコンピュータ室３０の壁面に沿って多数並設されると、前記ファンやモータの交換スペース（サービススペース）は室内ユニット３２の正面（前面）にしか確保できない。
【００２２】
ここで、従来の空気調和機（室内ユニット）の構造を図１３及び図１４により説明する。図１３は筐体の正面の扉を取って内部の構造を示す正面図、図１４は図１３のＣ−Ｃ線矢視断面図（内部構造を示す側面図）である。  
これらの図において、１は筐体、２は前記筐体１の上面などに設けられた筐体の吸込口、３は熱交換器、４はファン（例えば遠心ファン）、５はファンケーシング、６はモータ、７は電気室、８は機械室、９は端子箱、１０は前記筐体１の下面などに設けられた筐体の吹出口である。
【００２３】
筐体１の前記吸込口２から空気が吸込まれ（吸込空気２２）、熱交換器３を通って冷媒と熱交換され、前記ファン４に吸込まれて前記吹出口１０からフリーアクセスフロア（二重床）の通路に空気が吹き出される（吹出空気２３）。  
前記熱交換器３は、筐体１上部の前記吸込口２から吸い込まれた空気が通り易いように、また熱交換器３の設置面積を多くするため、図１４の側断面図に示すように斜めに設けられている。
【００２４】
前記ファン４は、空気を軸方向（側面）から吸込んで半径方向（外周方向）に吹き出すもので、主に遠心ファンが用いられている。ファン４には、該ファン４を覆う前記ファンケーシング５が設けられ、ファン４から吹き出された空気は前記ファンケーシング５で集められて、該ファンケーシング５の開口（吐出口）から吹き出される。
【００２５】
図１３、図１４に示す従来の空気調和機において、筐体１をコンピュータ室に複数台並べて設置し、前記ファン４やモータ６を交換する場合について説明する。まず、ファン４とモータ６との固定を解除し、その後、前記モータ６をファンケーシング５の反対側（図１３の左方向）に移動させてモータ６を取外し、筐体正面のサービススペースに引き出す。次に、ファンケーシング５の左側面から前記モータ６が設置してあったスペースに前記ファン４を引き出し、ここから筐体正面のサービススペースに前記ファン４を引き出す。
【００２６】
このような従来の空気調和機の場合、ファン４をファンケーシング５の横にスライドさせる必要があるため、ファンケーシング５の横に少なくともファン４の幅分だけの取出しスペースを筐体１内に設けなければならず、筐体１の横幅が大きなものになってしまう。
【００２７】
上述した従来の空気調和機に対して、最近、空気調和機内にはモータを移動させることができるだけのサービススペースを確保し、またファンケーシングの正面（サービススペース側の面）にはファンを出し入れするための開口部を設けることにより、ファンやモータを正面のサービススペースに取り出すことができるようにすることも検討されている。このようにすれば、空気調和機内に広いサービススペースを取ることができない場合でも、モータを移動することができるサービススペースを設けるだけで、ファンやモータの交換が可能になり、空気調和機をより小型化して設置面積を小さくできる。  
しかし、この場合でも、空気調和機内でのファンの脱着作業が必要であり、またモータを移動させるためのサービススペースを空気調和機内に設ける必要がある。
【００２８】
上記従来の空気調和機などを改良した本発明の空気調和機（室内ユニット）の実施例１を図２〜図９により説明する。  
図２は本発明の空気調和機の実施例１を示す正面図で、正面の扉を取って内部の構造を示した図、図３は図２のＡ−Ａ線矢視断面図である。
【００２９】
これら図２及び図３において、１は筐体、２は前記筐体１の上面などに設けられた筐体の吸込口、３は熱交換器、４はファンで、本実施例ではファン４として遠心ファン（ターボファンやシロッコファン）を用いている。５はファンケーシング、６は前記ファン４と連結されて該ファン４を駆動するモータ、７は電気室、８は機械室、９は端子箱（端子台）、１０は前記筐体１の下面などに設けられた筐体の吹出口である。前記機械室８には冷凍サイクルの冷媒を圧縮する圧縮機２０などが設置されている。
【００３０】
前記ファン４の周りには前記ファンケーシング５が設けられており、空気は前記ファンケーシング５の側面から吸い込まれ、半径方向に吹き出される。前記ファンケーシング５は、前記ファン４から吹き出された空気を集めて、前記筐体１の下面に設けられている吹出口１０から、フリーアクセスフロアの通路（下部空間）に吹き出すように構成されている。
図１４に示した従来の空気調和機では、ファンケーシング５を渦巻型としているが、本実施例では、前記ファンケーシング５は、図３に示すように、ファンの周囲を取り囲む簡易な箱形の多角形構造にしている。
【００３１】
また、本実施例では、前記筐体１内に、図１３で説明したような、ファン４の幅分だけの取り出しスペースを設けていない。また、ファン４とモータ６を切り離すためにモータを移動させるためのサービススペースも空気調和機内に設ける必要がない。このため本実施例では、筐体１の横幅が従来のものに対して大幅に小さくなるように構成されている。
【００３２】
なお、本実施例では、前記ファン４は、前記モータ６の一端側のみに取り付けられた片側配置構造になっているが、モータの両側にシャフトを設けて（即ち、両軸モータとし）それぞれのシャフトにファンを取り付けた両側配置構造にすることもできる。また、前記片側配置構造と前記両側配置構造とを併用するなどして、一つの筐体１内に、複数の前記送風機構と、複数の前記ファンケーシング５を配置するようにしても良い。
また、ファン４自体の構造も、両面吸込み構造（両吸込型）には限られず、片面吸込み構造（片吸込型）としても良い。
【００３３】
図４は図２の状態から正面の塞ぎ板と左右のインレットリングを取り外した状態のファンケーシング周辺の正面図、図５は図４の右側面図、図６は図４の左側面図で、正面側の半分だけ示し、背面側の半分は省略した図である。
【００３４】
上記図４に示すように、前記ファン４は、ファンモータ６のシャフト２１と直結して接続され、前記モータ６を駆動することにより回転される。前記シャフト２１はファン４内部で締結ねじ１７により接続されている。前記シャフト２１とファン４との締結は締結ねじ１７に限られず、これらを固定できるものであれば良い。前記モータ６はモータベース１３の上に固定され、前記モータベース１３は、ボルト１６により前記筐体１の基礎部に取り付けられている。
【００３５】
ファン４の側面である両吸込み部分にはそれぞれインレットリング１４，１５が前記ファンケーシング５に脱着自在に取り付けられている。これらのインレットリング１４，１５は、ファン４に吸込まれる空気とファンケーシング５内に吹出される空気とが混ざらないようにすると共に、吸い込まれる空気を整流するために設けている。前記ファンケーシング５とインレットリング１４，１５を設けることにより、これらを設けない場合と比較してファン効率と空間効率を向上することができる。
【００３６】
空気調和機を構成する筐体１の扉面を正面にすると、前記ファンケーシング５には、その正面に正面開口部１８と、側面の正面側に側面開口部１１（図８参照）が設けられており、前記正面開口部１８には正面塞ぎ板１９が、前記側面開口部１１には側面塞ぎ板１２（図６、図８参照）がそれぞれ脱着可能に取り付けられている。前記正面開口部１８は前記ファン４を正面側に取り出せるように、その高さと横幅の大きさが決められている。
【００３７】
なお、ファンケーシング５の前記開口部１１，１８は、ファン４の交換作業時以外は風漏れ防止のため、前記塞ぎ板１２，１９が取り付けられて塞がれた状態になっている。
前記ファンケーシング５は板金製であり、形状はファン４の回転方向に合わせた円筒型でも良いが、多角形型にするとファンケーシング５の製作が容易になり、前記塞ぎ板１２，１９の着脱性も良くなる。
【００３８】
本発明の空気調和機におけるファン交換の作業手順を、図７〜図９を用いて説明する。図７は図２のファン周りの正面図で、正面と側面の塞ぎ板、モータ側のインレットリング、モータベースの固定ボルトなどを取り外した状態を示す図、図８は図７の左側面図で、正面側の半分だけ示し、背面側の半分は省略し、更に側面塞ぎ板を取り外した状態を示す図、図９は図７の平面図で、ファンの取り出し方向を説明する図である。
筐体１の正面（即ち、空気調和機の正面）にはサービススペースがあるものとし、正面の扉を開けると図２に示すように、ファンケーシング５とモータ６が横に並んで配置されている。なお、本実施例では、空気調和機から見てサービススペースがある側を空気調和機の正面と定義して説明する。
【００３９】
ファンの交換作業を実施する場合、まず図７に示すように、ファンケーシング５の正面に取り付けられている正面塞ぎ板１９を取り外す。
次に、図８に示すように、ファンケーシング５の側面に取り付けられている側面塞ぎ板１２を取り外す。その後、図７に示すように、ファンケーシング５の側面に取り付けられているインレットリング１４，１５を取り外し、横に移動する。また、モータベース１３を固定しているボルト１６も取り外す。
【００４０】
次に、図９に示すように、ファン４とモータ６がシャフト２１で結合されたままの状態で、ファンケーシング５の正面開口部１８（図７参照）からファン４を通過させ、また側面開口部１１（図７、図８参照）からシャフト２１を通過させることにより、空気調和機正面のサービススペースに、前記ファン４とモータ６を引き出すことができる。なお、このとき、インレットリング１４も引き出される。  
サービススペースに前記ファン４とモータ６を引き出した後、ファン４とモータ６を結合している締結ねじ１７を外し、前記モータ６を横に移動してシャフト２１をファン６から引き抜く。
【００４１】
以上の手順により、ファンケーシング５内から外部（空気調和機外）に引き出された前記ファン４とモータ６は、必要なメンテナンスや交換が為される。  
前記ファン４及びモータ６を前記ファンケーシング５内に設置する場合には、上述した取り外しの作業手順とは逆の作業手順で行えば良い。
【００４２】
以上述べたように、本実施例では、空気調和機内でファン４とモータ６との結合を解除し、ファンケーシング５の反対側にモータ６を移動させてファン４からシャフト２１を引き抜くような作業が不要となるので、シャフト２１を引き抜くためのモータの移動スペースを空気調和機内に設ける必要はない。また、図１３に示した従来の空気調和機のように、ファン４をファンケーシング５の横にスライドさせる必要もないため、ファンケーシング５の横の筐体１内にファン４の幅分だけの取り出しスペースを設ける必要もない。
【００４３】
このように、本実施例では、空気調和機内でファンの脱着作業をすることなく、ファンやモータなどの送風機構を空気調和機から容易に取り出せる構造にしているから、送風機構を脱着する際の交換スペースを空気調和機内に余分に確保する必要がない。従って、筐体１の横幅を大幅に小さくすることができると共に、ファン４やモータ６の取り出し、交換作業を容易にすることができる空気調和機を得ることができる。
【００４４】
即ち、本実施例では、ファンケーシング５のサービススペース側に前記正面開口部１８と側面開口部１１が設けられているので、ファン４を正面開口部１８から取り出すと共にシャフト２１を側面開口部１１から取り出すことができる。このため、空気調和機内でモータ６を横に移動させたり、ファン４をモータ側に移動させてから取り出す必要がなくなり、空気調和機（筐体１）の横幅を大幅に小さくすることができる。
【実施例２】
【００４５】
本発明の実施例２を図１０〜図１２により説明する。
図１０は本実施例の空気調和機を示す正面図で、正面の扉を取って内部の構造を示した図、図１１は図１０のＢ−Ｂ線矢視断面図、図１２は図１０に示すファン周りの平面図で、ファンの取出し方向を説明する図である。
【００４６】
これらの図において、図１〜図９と同一符号を付した部分は同一または相当する部分を示しており、本実施例２が上記実施例１と異なる点のみを説明する。  
上記実施例１では、ファン４がモータ６の一端側のみに取り付けられた片側配置構造とした場合について説明したが、本実施例２では、前記モータ６を両軸モータとし、この両軸モータの両側のシャフトにそれぞれファン４を取り付けた両側配置構造に本発明を適用した場合について説明する。
【００４７】
図１０〜図１２に示すように、ファンモータ６の右側にはファン４ａが設けられ、ファンモータ６の左側にはファン４ｂが設けられており、前記モータ６と前記右側ファン４ａとはシャフト２１ａで、前記モータ６と前記左側ファン４ｂとはシャフト２１ｂで結合されている。前記右側ファン４ａの周りにはファンケーシング５ａが設けられており、実施例１と同様に、空気は前記ファンケーシング５の両側面から吸い込まれ、半径方向に吹き出される。前記ファンケーシング５は、前記ファン４から吹き出された空気を集めて、筐体１の下面に設けられている吹出口１０から、フリーアクセスフロアの通路に吹き出すように構成されている。また、実施例１と同様に、インレットリング１４，１５（図７参照）なども設けられている。更に、前記ファンケーシング５ａには、実施例１と同様に、正面開口部１８、これを塞ぐ塞ぎ板１９、側面開口部１１及びこれを塞ぐ塞ぎ板１２なども設けられている。
【００４８】
前記左側ファン４ｂの周りにもファンケーシング５ｂが設けられており、上記右側ファン４ａ側とはモータ６を挟んで対称的な形状で構造的には実質的に同一構造に構成されている。端子箱９は、本実施例では、前記右側ファン４ａと前記左側ファン４ｂとの間に設置されている。
【００４９】
本実施例におけるファン交換作業手順も上記実施例１と実質的に同様である。即ち、図１２に示すように、左右両側のファンケーシング５ａ，５ｂに設けられている正面塞ぎ板１９（図４参照）及び側面塞ぎ板１２（図６参照）を取り外し、またインレットリング１４，１５も取り外し、横に移動する。モータベース１３を固定しているボルト１６も取り外した後、モータ６と、ファン４ａ，４ｂとがモータシャフト２１ａ，２１ｂで結合されたままの状態で、ファンケーシング５ａ，５ｂの正面開口部１８からファン４ａ，４ｂを通過させ、また側面開口部１１からモータシャフト２１ａ，２１ｂを通過させることにより、空気調和機正面のサービススペースに、前記ファン４ａ，４ｂとモータ６を引き出すことができる。他の手順は実施例１と同様である。
【００５０】
このように、本発明は、モータ６の両側にファン４ａ，４ｂを取り付けた両側配置構造のものにも同様に実施でき、実施例１と同様の効果を得ることができる。また、実施例１に示す片側配置構造と実施例２に示す前記両側配置構造を併用することも同様に可能である。
【００５１】
以上述べたように、本発明の各実施例によれば、送風機構を脱着する際の交換スペースを空気調和機内に余分に確保することなく、ファンやモータの取り出し、交換作業を容易にすることができる空気調和機を得ることができる。
【００５２】
また、本発明の各実施例によれば、送風機構を脱着する際の交換スペースを空気調和機内に余分に確保せずに空気調和機を小型化しても、前記送風機構を出し入れするための交換スペースは空気調和機の前方または後方の少なくとも何れかに確保するだけで良い。即ち、空気調和機の側方に前記交換スペースは不要であり、これにより複数台の空気調和機を、例えば壁に沿って横に並設することが容易に可能となる。従って、本実施例によれば、空気調和機（室内機）を小型化しつつ、ファンやモータの交換作業も容易に可能となる効果がある。
【００５３】
なお、上述した実施例では、サーバーが設置されているコンピュータ室における空気調和機に本発明を適用した場合について説明したが、本発明はコンピュータ室における空気調和機には限定されず、複数の筐体が並べて設置されるところで実施すれば同様の効果が得られる。また、空気調和機が単体で設置されている場合であっても、周囲にサービススペースを広くとることができない場合にも本発明を適用すれば同様の効果が得られる。
【００５４】
上記実施例では、前記インレットリングを横にスライドさせて取外しているが、分割できるインレットリングを使用すれば、インレットリングをシャフトから抜かなくても取り外すことが可能となる。  
また、上記実施例では、筐体１の上部に熱交換器を、筐体１の下部にファンを設けているが、これらを上下逆に配置して、筐体１の下面に吸込口を設け、筐体の上面に吹出口を設けるようにしても良い。更に、正面吸込み下面吹出し、背面吸込み上面吹出し等の空気調和機でも同様に適用可能である。
【００５５】
なお、上述した実施例では、空気調和機から見てサービススペースがある側を空気調和機の正面と定義して説明したが、本発明は、空気調和機のサービススペース側のファンケーシングに、ファンを出し入れするためのファン出し入れ用開口部（上記実施例では正面開口部）と、シャフトを前記サービススペース側に出し入れするためのシャフト出し入れ用開口部（上記実施例では側面開口部）とを形成すると共に、前記ファン出し入れ用開口部を塞ぐための脱着可能な塞ぎ板と、前記シャフト出し入れ用開口部を塞ぐための脱着可能な塞ぎ板とを備えるようにすれば良い。
【符号の説明】
【００５６】
１：筐体、
２：:吸込口、
３：:熱交換器、
４：ファン（:遠心ファン）、
５：ファンケーシング、
６：モータ（ファンモータ）、
７：電気室、８：機械室、９：端子箱、
１０：吹出口、
１１：シャフト出し入れ用開口部（側面開口部）、１２：塞ぎ板（側面塞ぎ板）、
１３：モータベース、
１４：インレットリング（左）、１５：インレットリング（右）、
１６：ボルト、１７：締結ねじ、
１８：ファン出し入れ用開口部（正面開口部）、１９：塞ぎ板（正面塞ぎ板）、
２０：圧縮機、
２１：シャフト（モータシャフト）、
２２：吸込空気、２３：吹出空気、
３０：コンピュータ室、３１：コンピュータ、
３２：室内ユニット、３３：室外ユニット、３４：冷媒配管、
３５：フリーアクセスフロア。
【図１】
2013096617.tif 000003
【図２】
2013096617.tif 000004
【図３】
2013096617.tif 000005
【図４】
2013096617.tif 000006
【図５】
2013096617.tif 000007
【図６】
2013096617.tif 000008
【図７】
2013096617.tif 000009
【図８】
2013096617.tif 000010
【図９】
2013096617.tif 000011
【図１０】
2013096617.tif 000012
【図１１】
2013096617.tif 000013
【図１２】
2013096617.tif 000014
【図１３】
2013096617.tif 000015
【図１４】
2013096617.tif 000016